(57)【要約】【課題】USBカメラ機能付携帯電話機において、自由な位置・角度での動画撮像をより軽微、確実に実現できる携帯電話、充電アダプタ及び携帯電話付充電アダプタを提供すること。【解決手段】携帯電話付充電アダプタに係る本考案は、三脚のネジ山が螺合し得るネジ穴を穿った外面を有するUSBカメラと、該USBカメラが着脱可能に係合しうる係合部と、三脚のネジ山が螺合し得るネジ穴を穿った外面とを備えた携帯電話と、前記携帯電話を載置させて充電を行うための充電アダプタにおいて、該携帯電話および前記USBカメラが載置可能な窪み部と、三脚のネジ山が螺合し得るネジ穴を穿った外面とを備えた充電アダプタとを具備することを特徴とする。【選択図】図２
0003126160.tif 000002
【実用新案登録請求の範囲】
【請求項１】
三脚のネジ山が螺合し得るネジ穴を穿った外面を有するUSBカメラと、
前記USBカメラが着脱可能に係合しうる係合部と、
三脚のネジ山が螺合し得るネジ穴を穿った外面と
を具備することを特徴とする携帯電話。
【請求項２】
携帯電話を載置させて充電を行うための充電アダプタにおいて、
携帯電話が載置可能な第１の載置部と、
前記携帯電話に着脱自在なUSBカメラが載置可能な載置部であって前記第１の載置部と兼ねてもよい第２の載置部と、
三脚のネジ山が螺合し得るネジ穴を穿った外面と
を具備することを特徴とする充電アダプタ。
【請求項３】
三脚のネジ山が螺合し得るネジ穴を穿った外面を有するUSBカメラと、該USBカメラが着脱可能に係合しうる係合部と、三脚のネジ山が螺合し得るネジ穴を穿った外面とを備えた携帯電話と、
前記携帯電話を載置させて充電を行うための充電アダプタにおいて、携帯電話が載置可能な第１の載置部と、前記携帯電話に着脱自在なUSBカメラが載置可能な載置部であって前記第１の載置部と兼ねてもよい第２の載置部と、三脚のネジ山が螺合し得るネジ穴を穿った外面とを備えた充電アダプタ
とを具備することを特徴とする携帯電話付充電アダプタ。
【考案の詳細な説明】
【技術分野】
【０００１】
本考案は、携帯電話、充電アダプタ及び携帯電話付充電アダプタに係り、特に内臓USBカメラが着脱可能な携帯電話及び三脚のネジへの螺合が二重に可能である携帯電話用充電アダプタに関するものである。
【背景技術】
【０００２】
近年の携帯電話の普及には目を見張るものがある。その要因の一つとなっているのが、
カメラ付き携帯電話の流行である。
【０００３】
このカメラ付き携帯電話は、当初は静止画の撮像に用いられるものであったが、近年USBカメラ（ウェブカメラでもよい。以下同。）が搭載される携帯電話のモデルが出てきている。USBカメラは、パソコンのUSBに接続するだけですぐに使用でき、直感的に操作が可能なカメラであり、一般的に、撮影された画像は、リアルタイム、または一定間隔で保存される。この場合、USBカメラからもしくはUSBカメラが搭載された携帯電話からPC（パーソナルコンピュータ）のUSBポートに接続しリアルタイム画像転送等が可能となる。
【０００４】
しかし、従来のUSBカメラ機能付携帯電話機の場合、静止画撮像の場合にはまだしも、動画撮像の場合には、卓上に置いて使用する状況では、どうしても下から見上げるアングルになり、自由な位置・角度での動画撮像が行えないという欠点があった。
【０００５】
この改善策として、三脚アダプタを設け、この三脚アダプタにカメラ付携帯電話を接続するとともに回動自在とすることで自由なアングルを確保するという思想は開示されていた（特許文献３）。しかしこの思想によれば、三脚アダプタを携行し忘れた場合には目的を果たせなくなる。
【特許文献１】特開２００５−６２３６７号公報
【特許文献２】特開２００６−６４７１５号公報
【特許文献３】特開２００６−７４５８５号公報
【特許文献４】特開２００５−１３００３１号公報
【特許文献５】特開２００５−１１０１１４号公報
【特許文献６】特開２００４−３１７５７８号公報
【特許文献７】特開２００４−１５７２１１号公報
【特許文献８】特開２００４−１０１７４９号公報
【特許文献９】特開２００３−６９８７４号公報
【考案の開示】
【考案が解決しようとする課題】
【０００６】
本願は、上記した問題点を解決しようとするものであって、USBカメラ機能付携帯電話機において、自由な位置・角度での動画撮像をより軽微、確実に実現できる携帯電話、充電アダプタ及び携帯電話付充電アダプタを提供することを目的とする。
【課題を解決するための手段】
【０００７】
かかる目的を達成するために携帯電話に係る本考案は、三脚のネジ山が螺合し得るネジ穴を穿った外面を有するUSBカメラと、前記USBカメラが着脱可能に係合しうる係合部と、三脚のネジ山が螺合し得るネジ穴を穿った外面とを具備することを特徴とする。
【０００８】
かかる構成を備える本考案によれば、携帯電話には三脚のネジ山（雄螺子）が螺合し得るネジ穴（雌螺子）を設けると共に、かかる充電アダプタに着脱可能なUSBカメラにも三脚のネジ山（雄螺子）が螺合し得るネジ穴（雌螺子）を設けるので、USBカメラを搭載した携帯電話単体もしくは携帯電話から脱着されたUSBカメラ単体を三脚に螺子を介して螺合させて使用でき、動画撮像を自由な位置・角度から可能にしつつ、これを軽微・簡易な装置で可能にする。
【０００９】
また、充電アダプタに係る本考案は、携帯電話を載置させて充電を行うための充電アダプタにおいて、携帯電話が載置可能な第１の載置部と、前記携帯電話に着脱自在なUSBカメラが載置可能な載置部であって前記第１の載置部と兼ねてもよい第２の載置部と、三脚のネジ山が螺合し得るネジ穴を穿った外面とを具備することを特徴とする。
【００１０】
かかる構成を備える本考案によれば、充電アダプタには三脚のネジ山（雄螺子）が螺合し得るネジ穴（雌螺子）を設け、かかる充電アダプタにはUSBカメラを搭載した携帯電話を載置可能となるのみならず携帯電話から脱着されたUSBカメラも載置可能となるので、USBカメラを搭載した携帯電話単体もしくは携帯電話から脱着されたUSBカメラ単体を充電アダプタに載置した状態で充電アダプタに三脚を螺子を介して螺合させて使用でき、動画撮像を自由な位置・角度から可能にしつつ、これを軽微・簡易な装置で可能にする。
【００１１】
さらに、携帯電話付充電アダプタに係る本考案は、三脚のネジ山が螺合し得るネジ穴を穿った外面を有するUSBカメラと、該USBカメラが着脱可能に係合しうる係合部と、三脚のネジ山が螺合し得るネジ穴を穿った外面とを備えた携帯電話と、前記携帯電話を載置させて充電を行うための充電アダプタにおいて、携帯電話が載置可能な第１の載置部と、前記携帯電話に着脱自在なUSBカメラが載置可能な載置部であって前記第１の載置部と兼ねてもよい第２の載置部と、三脚のネジ山が螺合し得るネジ穴を穿った外面とを備えた充電アダプタとを具備することを特徴とする。
【００１２】
かかる構成を備える本考案によれば、携帯電話には三脚のネジ山（雄螺子）が螺合し得るネジ穴（雌螺子）を設けると共に、かかる充電アダプタに着脱可能なUSBカメラにも三脚のネジ山（雄螺子）が螺合し得るネジ穴（雌螺子）を設けるので、USBカメラを搭載した携帯電話単体もしくは携帯電話から脱着されたUSBカメラ単体を三脚に螺子を介して螺合させて使用でき、動画撮像を自由な位置・角度から可能にしつつ、これを軽微・簡易な装置で可能にする。また、充電アダプタには三脚のネジ山（雄螺子）が螺合し得るネジ穴（雌螺子）を設け、かかる充電アダプタにはUSBカメラを搭載した携帯電話を載置可能となるのみならず携帯電話から脱着されたUSBカメラも載置可能となるので、携帯電話単体もしくは携帯電話から脱着されたUSBカメラ単体を充電アダプタに載置した状態で充電アダプタに三脚を螺子を介して螺合させて使用でき、動画撮像を自由な位置・角度から可能にしつつ、これを軽微・簡易な装置で可能にする。これらを一体に組み入れた携帯電話付充電アダプタとすることで、利便性をさらに向上させることができる。
【考案の効果】
【００１３】
本考案は、携帯電話には三脚のネジ山（雄螺子）が螺合し得るネジ穴（雌螺子）を設けると共に、かかる充電アダプタに着脱可能なUSBカメラにも三脚のネジ山（雄螺子）が螺合し得るネジ穴（雌螺子）を設けるので、携帯電話単体もしくは携帯電話から脱着されたUSBカメラ単体を三脚に螺子を介して螺合させて使用でき、動画撮像を自由な位置・角度から可能にするという利点がある。
【考案を実施するための最良の形態】
【００１４】
以下、本考案を実施するための最良の形態を図面を参照して説明する。
図１は、本考案の全体のイメージを表す概念図である。同図に示すように、本考案は、三脚のネジ山が螺合し得るネジ穴を、（着脱自在式）USBカメラが積載される携帯電話本体と、該携帯電話から脱着されたUSBカメラ（以下、「独立したUSBカメラ」ともいう。）と、携帯電話の充電アダプタとにそれぞれ設ける。さらに、この充電アダプタは、携帯電話を充電のために載置し得るのみならず、携帯電話から脱着されたUSBカメラ単体も載置し得るようにする。ただし、USBカメラ単体を充電アダプタに載置させた場合には、基本的に充電とは関係なくなる。USBカメラは、消費電力が小さい上、必要な電力はUSBケーブルを通じて接続されるPC（パーソナルコンピュータ）から供給されるためである。
【００１５】
また、このとき、充電アダプタにおいて、携帯電話を充電のために載置させる部位（機能）と、独立したUSBカメラを載置させる部位（機能）とを兼ねるように構成することも、形状の選択及び寸法の設定により可能であり、本考案はこれらのいずれの場合も含むものである。
【００１６】
次に、詳細な構成を説明する。図２は、本考案に係る各部位の詳細な構成を表す全体俯瞰図である。
【００１７】
同図に示すように、本考案の主要構成部としては、携帯電話１０と、充電アダプタ２０とを備えて構成される。
【００１８】
携帯電話１０は、たとえば頂部に、着脱可能なUSBカメラ部１００を備えている。ただし、頂部に限定されることなく、USBカメラ部１００は、携帯電話１０のいずれの部位に備えるように構成しても良い。USBカメラ部１００と携帯電話１０との取り合い部は詳述しないが、着脱できる形式、すなわち、装着している状態であれば該装着状態を保持するように作用する物理力（たとえば付勢力、或いはピンによるロック構造等）或いはいかなる力が働けばよく、これらの物理力或いはいかなる力は公知の技術を採用することができ、ここでは詳述しない。また、装着を解除した場合には、USBカメラ部１００は独立してカメラ機能を果たすものであり、USBカメラ部１００が脱着された携帯電話１０の残余部分はそれ自体で携帯電話としての使用に堪え、またいつでもUSBカメラ部１００の再装着を可能とする。
【００１９】
携帯電話１０には、たとえば裏面に、三脚３０のネジ山（雄螺子）３１が螺合し得るネジ穴（雌螺子）１１が穿設される。このネジ穴（雌螺子）１１が穿設される位置としては、携帯電話１０裏面に限定されることなく、寸法的、機能的に可能ないかなる位置に設けてもよい。
【００２０】
USBカメラ部１００は、撮像を行うためのレンズ１１０を備え、さらにたとえば裏面に、三脚３０のネジ山（雄螺子）３１が螺合し得るネジ穴（雌螺子）１０１が穿設される。このネジ穴（雌螺子）１０１が穿設される位置としては、USBカメラ部１００裏面に限定されることなく、寸法的、機能的に可能ないかなる位置に設けてもよい。
【００２１】
充電アダプタ２０は、携帯電話１０が載置される携帯電話載置部２００と、独立したUSBカメラ部１００が載置されるUSBカメラ載置部２１０とが設けられる。充電アダプタ２０からは電源アダプタを介して電源に接続され、携帯電話１０が携帯電話載置部２００に載置されると、かかる電源から充電ができるようになっている。
【００２２】
携帯電話載置部２００としては、たとえば、凹部を穿設し、かかる凹部の（図示しない）底部に電極を設置してもよいし、公知のいかなる方法によって実現してもよい。携帯電話載置部２００と携帯電話１０との取り合い部は詳述しないが、着脱できる形式、すなわち、装着している状態であれば該装着状態を保持するように作用する物理力（たとえば付勢力、或いはピンによるロック構造等）或いはいかなる力が働けばよく、これらの物理力或いはいかなる力は公知の技術を採用することができ、ここでは詳述しない。
【００２３】
USBカメラ載置部２１０としては、たとえば、USBカメラ部１００を挟持する立ち上げりを設けても良いし、公知のいかなる方法によって実現してもよい。たとえば図２に示すような立ち上がりによって携帯電話載置部２００を実現してもよく、この場合、USBカメラ部１００はUSBカメラ載置部２１０に嵌合する。USBカメラ載置部２１０とUSBカメラ部１００との取り合い部は詳述しないが、着脱できる形式、すなわち、装着している状態であれば該装着状態を保持するように作用する物理力（たとえば付勢力、或いはピンによるロック構造等）或いはいかなる力が働けばよく、これらの物理力或いはいかなる力は公知の技術を採用することができ、ここでは詳述しない。携帯電話１０の残余部分はそれ自体で携帯電話としての使用が可能である。また、上述したように、USBカメラは、消費電力が小さい上、必要な電力はUSBケーブルを通じて接続されるPC（パーソナルコンピュータ）４０からUSBポート４１を通じて供給されるために、USBカメラ部１００単体を充電アダプタ２０のUSBカメラ載置部２１０に載置させた場合には、基本的に充電とは関係なくなる。
【００２４】
また、携帯電話載置部２００とUSBカメラ載置部２１０とを、形状を工夫することで、共通化してもよい。
【００２５】
また、充電アダプタ２０には、たとえば裏面に、三脚３０のネジ山（雄螺子）３１が螺合し得るネジ穴（雌螺子）２１が穿設される。このネジ穴（雌螺子）１１が穿設される位置としては、充電アダプタ２０裏面に限定されることなく、寸法的、機能的に可能ないかなる位置に設けてもよい。
【００２６】
三脚３０の各脚底部には、図２に示されるように、吸盤３２（固定式、及び／または、着脱式）を装着するように構成しても良い。
【００２７】
次に、以上のように構成される本考案の作用・動作を説明する。
【００２８】
まず、通常のように携帯電話を用いてカメラ撮像、特に動画撮像するにあたっては、携帯電話とUSBカメラとを一体型として用いる場合、USBカメラ部１００が装着された状態の携帯電話１０を、予め三脚３０のネジ山（雄螺子）３１がネジ穴（雌螺子）２１に螺合した状態の充電アダプタ２０の携帯電話載置部２００に載置する。かかる載置状態が（図示しない）たとえば付勢力によって保持されることで、携帯電話１０と充電アダプタ２０とは動作上一体視でき、三脚３０の回動自在の作用により自由な仰角を、脚部分の伸縮自在の作用により自由な撮像位置を、それぞれ実現することが可能となる。なお、この場合、USBカメラ部１００を使用して撮像している際には、携帯電話１０の使用は基本的にはできない。
【００２９】
次に、携帯電話を用いてカメラ撮像、特に動画撮像するにあたっては、携帯電話とUSBカメラとを一体型として用いるのであるが、何らかの理由により充電アダプタ２０を用いない場合を説明する。この場合、USBカメラ部１００が装着された状態の携帯電話１０のネジ穴（雌螺子）１１に、三脚３０のネジ山（雄螺子）３１を螺合させる。かかる螺合状態が螺子の作用によって保持されることで、携帯電話１０は動作上一体視した三脚３０の回動自在の作用により自由な仰角を、脚部分の伸縮自在の作用により自由な撮像位置を、それぞれ実現することが可能となる。なお、この場合、USBカメラ部１００を使用して撮像している際には、携帯電話１０の使用は基本的にはできない。しかしこうすることで、たとえば旅先等で充電アダプタを携行し忘れた場合であっても、三脚と結合させることで得られる、自由な仰角及び自由な撮像位置を享受することができる。
【００３０】
次に、携帯電話を用いてカメラ撮像、特に動画撮像するにあたっては、携帯電話は形態電話として用いつつ、USBカメラを携帯電話から独立させて用いたい場合を説明する。この場合、USBカメラ部１００を携帯電話１０から取り外し、USBカメラ部１００のネジ穴（雌螺子）１０１に、三脚３０のネジ山（雄螺子）３１を螺合させる。かかる螺合状態が螺子の作用によって保持されることで、USBカメラ部１００は動作上一体視した三脚３０の回動自在の作用により自由な仰角を、脚部分の伸縮自在の作用により自由な撮像位置を、それぞれ実現することが可能となる。
【００３１】
こうすることで、携帯電話１０は携帯電話として別個並行的に使用しながら、USBカメラ部１００による撮像を行うことができる。しかも、USBカメラ部１００による電力消費はUSBケーブルを介して接続されるPC（パーソナルコンピュータ）４０によりUSBポート４１を通じて補給される。したがって、たとえば旅先等で充電アダプタを携行し忘れた場合であっても、三脚と結合させることで得られる、自由な仰角及び自由な撮像位置を享受することができるとともに、携帯電話１０は独立的使用が可能となり、利便性は大いに増進される。
【００３２】
なお、本考案は、上述した実施形態および実施例には限定されず、本考案の技術思想の範囲内で様々な変形が可能である。さらに本願考案は、その技術思想の同一及び等価に及ぶ範囲において様々な変形、追加、置換、拡大、縮小等を許容するものである。また、本願考案を用いて生産される装置、方法、ソフトウェア、システムが、その２次的生産品に登載されて商品化された場合であっても、本願考案の価値は何ら減ずるものではない。
【００３３】
たとえば、上記の携帯電話、充電アダプタ及び携帯電話付充電アダプタに係る考案を、同一出願人によるライブ＆オン・デマンド放送システム、配信用ソフトウェア、受信用ソフトウェア、送信側システム、管理側システム、ライブ＆オン・デマンド放送方法及びプロバイダ・ビジネス方法（国際公開公報ＷＯ２００６／０２７９６８  Ａ１パンフレット）に係る技術思想に適用することが可能である。
【産業上の利用可能性】
【００３４】
本考案は、携帯電話には三脚のネジ山（雄螺子）が螺合し得るネジ穴（雌螺子）を設けると共に、かかる充電アダプタに着脱可能なUSBカメラにも三脚のネジ山（雄螺子）が螺合し得るネジ穴（雌螺子）を設けるので、携帯電話単体もしくは携帯電話から脱着されたUSBカメラ単体を三脚に螺子を介して螺合させて使用でき、動画撮像を自由な位置・角度から可能にすることから、携帯電話による通信産業に適用できる。
【図面の簡単な説明】
【００３５】
【図１】本考案の全体のイメージを表す概念図である。
【図２】本考案に係る各部位の詳細な構成を表す全体俯瞰図である。
【符号の説明】
【００３６】
１０    携帯電話
１１    ネジ穴（雌螺子）
２０    充電アダプタ
２１    ネジ穴（雌螺子）
３０    三脚
３１    ネジ山（雄螺子）
３２    吸盤
４０    PC（パーソナルコンピュータ）
４１    USBポート
１００  USBカメラ部
１０１  ネジ穴（雌螺子）
１１０  レンズ
２００  携帯電話載置部
２１０  USBカメラ載置部
【図１】
0003126160.tif 000003
【図２】
0003126160.tif 000004
【手続補正書】
【提出日】平成18年8月15日(2006.8.15)
【手続補正１】
【補正対象書類名】実用新案登録請求の範囲
【補正対象項目名】全文
【補正方法】変更
【補正の内容】
【実用新案登録請求の範囲】
【請求項１】
三脚のネジ山が螺合し得るネジ穴を穿った外面を有するUSBカメラと、
前記USBカメラが着脱可能に係合しうる係合部と、
三脚のネジ山が螺合し得るネジ穴を穿った外面と
を具備することを特徴とする携帯電話。
【請求項２】
請求項１記載の携帯電話を載置させて充電を行うための充電アダプタにおいて、
前記携帯電話が載置可能な第１の載置部と、
前記携帯電話に着脱自在なUSBカメラが載置可能な載置部であって前記第１の載置部と兼ねてもよい第２の載置部と、
三脚のネジ山が螺合し得るネジ穴を穿った外面と
を具備することを特徴とする充電アダプタ。
【請求項３】
三脚のネジ山が螺合し得るネジ穴を穿った外面を有するUSBカメラと、該USBカメラが着脱可能に係合しうる係合部と、三脚のネジ山が螺合し得るネジ穴を穿った外面とを備えた携帯電話と、
前記携帯電話を載置させて充電を行うための充電アダプタにおいて、前記携帯電話が載置可能な第１の載置部と、前記携帯電話に着脱自在なUSBカメラが載置可能な載置部であって前記第１の載置部と兼ねてもよい第２の載置部と、三脚のネジ山が螺合し得るネジ穴を穿った外面とを備えた充電アダプタ
とを具備することを特徴とする携帯電話付充電アダプタ。